(57)【要約】【課題】通信手段からの通信範囲に複数の検出対象物品が存在する場合であっても、確実に物品検出を行う。【解決手段】無線タグ通信装置１は、表示部５を設けた筐体４の上部に、検出対象の物品に設けられた無線タグ回路素子Ｔoと無線通信を行うためのアンテナ２と、このアンテナ２による通信対象の無線タグ回路素子Ｔoを把握するためのタグ把握情報を備えたバーコード１１から、タグ把握情報を光学的に取得するバーコードセンサ３とを備えている。【選択図】図４
2008047049.tif 000002
【特許請求の範囲】
【請求項１】
検出対象の物品に設けられ情報を記憶するＩＣ回路部と情報を送受信するアンテナとを備えた無線タグ回路素子と無線通信を行うための通信手段と、
この通信手段による通信対象の前記無線タグ回路素子を把握するためのタグ把握情報を備えた光学識別子より、前記タグ把握情報を光学的に取得する情報取得手段と
を有することを特徴とする無線タグ通信装置。
【請求項２】
請求項１記載の無線タグ通信装置において、
前記情報取得手段は、
複数の前記物品に対し包括的に関連づけられた前記光学識別子より、前記タグ把握情報として、前記複数の物品にそれぞれ設けられた前記無線タグ回路素子に係わる複数タグ関連情報を取得することを特徴とする無線タグ通信装置。
【請求項３】
請求項２記載の無線タグ通信装置において、
前記情報取得手段は、
前記複数タグ関連情報として、前記複数の物品の数情報を取得することを特徴とする無線タグ通信装置。
【請求項４】
請求項３記載の無線タグ通信装置において、
前記情報取得手段で取得した前記複数の物品の数情報と、前記通信手段を介して取得した前記複数の物品に係わる前記無線タグ回路素子の数とを照合判定する第１判定手段を有することを特徴とする無線タグ通信装置。
【請求項５】
請求項２記載の無線タグ通信装置において、
前記情報取得手段は、
前記複数タグ関連情報として、前記無線タグ回路素子の識別情報の少なくとも一部分を取得することを特徴とする無線タグ通信装置。
【請求項６】
請求項５記載の無線タグ通信装置において、
前記情報取得手段は、
前記複数タグ関連情報として、複数の物品にそれぞれ設けられた複数の前記無線タグ回路素子の識別情報の少なくとも一部分を取得することを特徴とする無線タグ通信装置。
【請求項７】
請求項１記載の無線タグ通信装置において、
前記情報取得手段は、
前記光学識別子より、前記タグ把握情報として、前記物品に設けられた前記無線タグ回路素子の前記ＩＣ回路部に記憶された当該物品に係わる属性情報を取得することを特徴とする無線タグ通信装置。
【請求項８】
請求項７記載の無線タグ通信装置において、
前記情報取得手段で取得した前記属性情報と、前記通信手段を介して取得した前記無線タグ回路素子に記憶された前記属性情報とを照合判定する第２判定手段と、
この第２判定手段による判定結果に基づき、前記情報取得手段で取得した前記属性情報に合致する属性情報を記憶した前記無線タグ回路素子の識別情報を特定する識別情報特定手段と
を有することを特徴とする無線タグ通信装置。
【請求項９】
請求項５又は８記載の無線タグ通信装置において、
前記タグ把握情報を用いて通信対象の前記無線タグ回路素子を特定した後、この特定した無線タグ回路素子の識別情報と対応する前記タグ把握情報との相関を生成する相関生成手段を有することを特徴とする無線タグ通信装置。
【請求項１０】
情報を記憶するＩＣ回路部及び情報を送受信するタグ側アンテナを備えた無線タグ回路素子を有するタグ媒体を搬送する搬送手段と、
この搬送手段で搬送される前記タグ媒体の前記無線タグ回路素子と無線通信を介し情報送受信を行う通信手段と、
この通信手段による前記無線タグ回路素子との情報送受信内容に対応した光学識別子を、前記タグ媒体に形成する識別子形成手段と
を有することを特徴とするタグラベル作成装置。
【請求項１１】
請求項１０記載のタグラベル作成装置において、
前記識別子形成手段は、
前記搬送手段による搬送と協働して、前記タグ媒体に対し、前記光学識別子としてのバーコードを印字する印字手段である
ことを特徴とするタグラベル作成装置。
【請求項１２】
請求項１１記載のタグラベル作成装置において、
前記印字手段は、
前記光学識別子として、２次元バーコードを前記タグ媒体に対し印字することを特徴とするタグラベル作成装置。
【請求項１３】
請求項１０乃至１２のいずれか１項記載のタグラベル作成装置において、
前記タグ媒体のうち、前記光学識別子を形成した部分と、前記無線タグ回路素子を備えた部分とを分離可能な分離線を形成する分離線形成手段を有することを特徴とするタグラベル作成装置。
【発明の詳細な説明】
【技術分野】
【０００１】
本発明は、外部と情報送受信可能な無線タグ回路素子に対し、無線通信を介して情報の送受信を行う無線タグ通信装置、及びそのような用途に用いるラベルを作成可能なタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化が進んでいる。
【０００３】
この無線タグを物流システムに応用した例として、例えば特許文献１に記載のものがある。この従来技術は、トラックで荷物を配送する場合において運転手が実行する荷物の積み卸しの管理に応用したものである。すなわち、トラックに積載される各荷物に無線タグ回路素子（無線ＩＣタグ）が備えられるとともに、トラックの荷物積み卸し口の周囲にリーダ（アンテナ）を設けておき、積み下ろし時に荷物が通過する際に、各荷物の無線タグ回路素子からその荷物の送り先、内容物等の荷物情報を取得し、あらかじめ物流情報センタのサーバから取得した荷物情報と比較してチェックを行う。これにより、予定通り荷物の積み卸しがされているか否かの自動的なチェック作業を可能としている。
【特許文献１】特開２００１−１９１６７号公報
【発明の開示】
【発明が解決しようとする課題】
【０００４】
しかしながら、例えば上記のように物流において流通する複数の物品に無線タグを取り付けてそれら複数の物品の検出を行う場合に、通常リーダはある程度の広がりをもった通信範囲を持つため、その通信範囲にある全ての無線タグが応答信号を返信してしまう。このとき、目的物である物品が目視でわかっていても、その目的物に取り付けられた無線タグの応答信号がどれなのかがわからない。すなわち、通信範囲に複数の検出対象物品が存在する場合、通信対象が把握できず、物品検出を行えない恐れがあった。
【０００５】
本発明の目的は、通信範囲に複数の検出対象物品があっても、確実にそれらの物品の検出を行える無線タグ通信装置及びタグラベル作成装置に関する。
【課題を解決するための手段】
【０００６】
上記目的を達成するために、第１の発明は、検出対象の物品に設けられ情報を記憶するＩＣ回路部と情報を送受信するアンテナとを備えた無線タグ回路素子と無線通信を行うための通信手段と、この通信手段による通信対象の前記無線タグ回路素子を把握するためのタグ把握情報を備えた光学識別子より、前記タグ把握情報を光学的に取得する情報取得手段とを有することを特徴とする。
【０００７】
本願第１発明においては、情報取得手段で光学識別子よりタグ把握情報を取得することで、その取得したタグ把握情報を用いて通信手段において通信対象とする無線タグ回路素子を把握することが可能となる。これにより、通信手段からの通信範囲に複数の検出対象物品が存在する場合であっても、当該複数の物品に係わる複数の無線タグ回路素子が応答し（＝通信対象が把握できず）物品検出を行えない従来技術と異なり、上記把握した無線タグ回路素子との情報送受信結果に基づいて物品検出を完了する（物品数のみ突き合わせの検品を含む）ことができる。
【０００８】
第２発明は、上記第１発明において、前記情報取得手段は、複数の前記物品に対し包括的に関連づけられた前記光学識別子より、前記タグ把握情報として、前記複数の物品にそれぞれ設けられた前記無線タグ回路素子に係わる複数タグ関連情報を取得することを特徴とする。
【０００９】
情報取得手段で複数タグ関連情報を取得し、それを用いて通信手段において通信対象とする無線タグ回路素子を把握することで、把握した無線タグ回路素子との情報送受信結果に基づき物品検出を完了することができる。
【００１０】
第３発明は、上記第２発明において、前記情報取得手段は、前記複数タグ関連情報として、前記複数の物品の数情報を取得することを特徴とする。
【００１１】
これにより、情報取得手段で取得した物品の数と、通信手段での情報送受信できた無線タグ回路素子の数とを対比させることで、物品検出を実行することが可能となる。
【００１２】
第４発明は、上記第３発明において、前記情報取得手段で取得した前記複数の物品の数情報と、前記通信手段を介して取得した前記複数の物品に係わる前記無線タグ回路素子の数とを照合判定する第１判定手段を有することを特徴とする。
【００１３】
第１判定手段で、情報取得手段で取得した物品の数と通信手段での情報送受信できた無線タグ回路素子の数とを照合判定することにより、これらの数が一致したことをもって物品検出完了とすることができる。
【００１４】
第５発明は、上記第２発明において、前記情報取得手段は、前記複数タグ関連情報として、前記無線タグ回路素子の識別情報の少なくとも一部分を取得することを特徴とする。
【００１５】
情報取得手段で無線タグ回路素子の識別情報（又はその一部）を取得し、それを用いて通信対象の無線タグ回路素子を特定して通信手段で情報送受信を行い、物品検出を完了することができる。また、複数タグ関連情報自体が無線タグ回路素子の識別情報の少なくとも一部を構成することにより、別途サーバにアクセスして複数タグ関連情報に対応する無線タグ回路素子の識別情報を取得する必要がなくなるので、物品検出処理の迅速化・効率化を図れる効果もある。
【００１６】
第６発明は、上記第５発明において、前記情報取得手段は、前記複数タグ関連情報として、複数の物品にそれぞれ設けられた複数の前記無線タグ回路素子の識別情報の少なくとも一部分を取得することを特徴とする。
【００１７】
情報取得手段で、複数の物品それぞれに設けた各無線タグ回路素子の識別情報（又はその一部）をまとめて取得し、それを用いて通信対象の無線タグ回路素子を特定して通信手段で情報送受信を行い、物品検出を完了することができる。なおこのとき、複数の物品に設けた無線タグ回路素子全部に対応した識別情報（又はその一部）を取得する必要は必ずしもない。すなわち、識別情報の付与について一定の法則性等がある場合には、それら複数の物品のうち少なくとも一部の物品に設けた無線タグ回路素子の識別情報より、残余の物品に設けた無線タグ回路素子の識別情報を算出（推定、類推）する等でも良い。
【００１８】
第７発明は、上記第１発明において、前記情報取得手段は、前記光学識別子より、前記タグ把握情報として、前記物品に設けられた前記無線タグ回路素子の前記ＩＣ回路部に記憶された当該物品に係わる物品情報を取得することを特徴とする。
【００１９】
情報取得手段で検出対象の物品情報を取得し、それを用いて通信手段において通信対象とする無線タグ回路素子を把握する（当該物品情報をＩＣ回路部に記憶した無線タグ回路素子が通信対象）。これにより、各無線タグ回路素子との情報送受信結果に基づき、当該物品情報を記憶した無線タグ回路素子を検出することで、物品検出を完了することができる。
【００２０】
第８発明は、上記第７発明において、前記情報取得手段で取得した前記属性情報と、前記通信手段を介して取得した前記無線タグ回路素子に記憶された前記属性情報とを照合判定する第２判定手段と、この第２判定手段による判定結果に基づき、前記情報取得手段で取得した前記属性情報に合致する属性情報を記憶した前記無線タグ回路素子の識別情報を特定する識別情報特定手段とを有することを特徴とする。
【００２１】
第２判定手段で、情報取得手段で取得した属性情報と、通信手段における無線タグ回路素子との情報送受信により取得した属性情報とを照合判定し、さらに識別情報特定手段で、上記照合判定結果が一致した無線タグ回路素子を、通信対象としてその識別情報を特定する。そして、その特定された識別情報に基づき検出対象の物品に係わる無線タグ回路素子と通信を行うことで、物品検出を完了することができる。
【００２２】
第９発明は、上記第５又は第８発明において、前記タグ把握情報を用いて通信対象の前記無線タグ回路素子を特定した後、この特定した無線タグ回路素子の識別情報と対応する前記タグ把握情報との相関を生成する相関生成手段を有することを特徴とする。
【００２３】
通信対象の無線タグ回路素子の特定が完了したとき、相関生成手段で、無線タグ回路素子の識別情報とタグ把握情報との相関を生成することにより、これ以降は、情報取得手段でタグ把握情報を取得したら、相関を利用しただちに無線タグ回路素子の識別情報を取得することができる。
【００２４】
上記目的を達成するために、第１０発明は、情報を記憶するＩＣ回路部及び情報を送受信するタグ側アンテナを備えた無線タグ回路素子を有するタグ媒体を搬送する搬送手段と、この搬送手段で搬送される前記タグ媒体の前記無線タグ回路素子と無線通信を介し情報送受信を行う通信手段と、この通信手段による前記無線タグ回路素子との情報送受信内容に対応した光学識別子を、前記タグ媒体に形成する識別子形成手段とを有することを特徴とする。
【００２５】
本願第１０発明においては、搬送手段でタグ媒体が搬送されると、そのタグ媒体に備えられた無線タグ回路素子に対し、通信手段により無線通信を介し情報送受信が行われる。このとき、識別子形成手段によって当該情報送受信内容に対応した光学識別子がタグ媒体に形成され、これによって光学識別子つきの無線タグラベルが作成される。
【００２６】
このようにして作成された無線タグラベルは、例えば光学識別子に対し無線タグ回路素子を把握可能なタグ把握情報を記憶させておけば、その後無線タグ通信装置にて読み取りを行う際に、当該無線タグ通信装置に備えられた情報取得手段で光学識別子より取得した当該タグ把握情報を用い、通信対象とする無線タグ回路素子を把握することが可能となる。この場合、通信手段からの通信範囲に複数の検出対象物品が存在する場合であっても、当該複数の物品に係わる複数の無線タグ回路素子が応答し（＝通信対象が把握できず）物品検出を行えない従来技術と異なり、上記把握した無線タグ回路素子との情報送受信結果に基づいて物品検出を完了する（物品数のみ突き合わせの検品を含む）ことができる。
【００２７】
第１１発明は、上記第１０発明において、前記識別子形成手段は、前記搬送手段による搬送と協働して、前記タグ媒体に対し、前記光学識別子としてのバーコードを印字する印字手段であることを特徴とする。
【００２８】
印字手段でバーコードを印字することで、通信手段を介した無線タグ回路素子との情報送受信内容に対応した情報（タグ把握情報等）をタグ媒体に記録することができる。
【００２９】
第１２発明は、上記第１１発明において、前記印字手段は、前記光学識別子として、２次元バーコードを前記タグ媒体に対し印字することを特徴とする。
【００３０】
これにより、通信手段を介した無線タグ回路素子との情報送受信内容に対応した情報（タグ把握情報等）を２次元バーコードの形でタグ媒体に記録することができる。
【００３１】
第１３発明は、上記第１０乃至１２発明のいずれかにおいて、前記タグ媒体のうち、前記光学識別子を形成した部分と、前記無線タグ回路素子を備えた部分とを分離可能な分離線を形成する分離線形成手段を有することを特徴とする。
【００３２】
これにより、作成後の無線タグラベルを、分離線を介し光学識別子部分と無線タグ回路素子部分とに容易に分離し、別々の場所に貼り付けて用いることができる。
【発明の効果】
【００３３】
本発明によれば、通信範囲に複数の検出対象物品があっても、確実にそれらの物品の検出を行うことができる。
【発明を実施するための最良の形態】
【００３４】
以下、本発明の実施の形態を図面を参照しつつ説明する。
【００３５】
本発明の第１の実施形態を図１〜図８により説明する。本実施形態は、本発明を、物品ケース内の複数物品の検出処理に用いた場合の実施形態である。
【００３６】
図１は、本実施形態に係る無線タグ通信装置を表す正面図である。
【００３７】
図１において、この無線タグ通信装置（リーダ）１は、無線タグラベルＴ（後述の図５等を参照）に備えられた無線タグ回路素子Ｔo（後述の図２等を参照）とバーコード１１（光学識別子。後述の図５等を参照）の２つに対応しそれらの読み取りが可能な（デュアルタイプの）ものである。
【００３８】
すなわち、無線タグ通信装置１は、表示部５（表示手段）を設けた筐体４の上部に、検出対象の物品に設けられた無線タグ回路素子Ｔoと無線通信を行うためのアンテナ（装置側アンテナ）２と、このアンテナ２による通信対象の無線タグ回路素子Ｔoを把握するためのタグ把握情報を備えたバーコード（光学識別子）１１から、タグ把握情報を光学的に取得するバーコードセンサ（情報取得手段）３とを具備している。
【００３９】
表示部５は、この例では筐体４の表側（図１中手前側）の大部分を占めるように設けられている。表示部５の上側には、音声報知手段７（例えばブザー、アラーム、チャイムスピーカ等）が、表示部５の下側には、操作手段の一部を構成する（この例では機械式の）操作部６がそれぞれ設けられている。
【００４０】
表示部５は、この例では公知のタッチパネルとして構成され、操作手段としての機能の大部分がこのタッチパネルに表示される各種ボタンで行えるようになっている。これらタッチパネルのボタン等と操作部６とによって、表示や探索等に係わる種々の操作入力が行えるようになっている。これにより、各種通信状態等を表示するのみならず、表示機能と操作機能の両方をタッチパネルで兼ねることで、スペースの低減及び手動操作の容易化を図ることができる。
【００４１】
操作部６は、この例ではスライダータイプであるが、その他適宜のキー、ボタン、スイッチ、パッド等であってもよい。さらにいわゆるシーソーボタンや、装置を持ったままで操作できる親指操作ボタン等でもよい。
【００４２】
装置側アンテナ２は、例えば単一指向性又は無指向性のアンテナとして構成されている。
【００４３】
図２は、上記リーダ１の検出対象の物品に設けられた無線タグラベルＴに備えられる無線タグ回路素子Ｔoの機能的構成の一例を表すブロック図である。
【００４４】
図２において、無線タグ回路素子Ｔoは、リーダ１のアンテナ（装置側アンテナ）２との間でＵＨＦ帯等の高周波を用いて非接触で信号の送受信を行うアンテナ１５１(タグ側アンテナ)と、このアンテナ１５１に接続されたＩＣ回路部１５０とを有している。
【００４５】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４６】
変復調部１５６は、アンテナ１５１により受信された上記リーダ１のアンテナ２からの通信信号の復調を行うと共に、上記制御部１５７からの返信信号に基づき、アンテナ１５１が受信した搬送波を変調し、アンテナ１５１より反射波として再送信する。
【００４７】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４８】
クロック抽出部１５４は受信した信号からクロック成分を抽出して制御部１５７にクロックを抽出するものであり、受信した信号のクロック成分の速度に対応したクロックを制御部１５７に供給する。
【００４９】
図３は、上記リーダ１の制御系の構成を表す機能ブロック図である。
【００５０】
図３において、リーダ１の制御系は、上記アンテナ２を介し上記無線タグ回路素子ＴoのＩＣ回路部１５０の情報(タグＩＤを含む無線タグ情報)へアクセスする（読み取り又は書き込みを行う）ための高周波回路２０１と、無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ１全体の動作を制御するための制御回路２０２とを有する。
【００５１】
高周波回路２０１は、アンテナ２を介し無線タグ回路素子Ｔoに対して信号を送信する送信部２１２と、アンテナ２により受信された無線タグ回路素子Ｔoからの反射波を入力する受信部２１３と、送受分離器２１４とから構成される。
【００５２】
送信部２１２は、無線タグ回路素子ＴoのＩＣ回路部１５０の無線タグ情報にアクセスする(読み取り／書き込みを行う)ための搬送波を発生させる水晶振動子２１５Ａ、制御回路３０の制御により所定の周波数の信号を発生させるＰＬＬ（Phase  Locked  Loop）２１５Ｂ、及びＶＣＯ（Voltage  Controlled  Oscillator）２１５Ｃと、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記発生される搬送波は、例えばＵＨＦ帯、マイクロ波帯、あるいは短波帯等の周波数を用いており、上記送信アンプ２１７の出力は、送受分離器２１４を介し送信アンテナ２に伝達されて無線タグ回路素子ＴoのＩＣ回路部１５０に供給される。なお、無線タグ情報は上記のように変調した信号に限られず、単なる搬送波のみの場合もある。
【００５３】
受信部２１３は、アンテナ２で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５４】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、本実施形態のリーダ１では、Ｉ−Ｑ直交復調によって無線タグ回路素子Ｔoからの反射波の復調が行われる。
【００５５】
制御回路２０２は、上記高周波回路送信部２１２への増幅制御信号及び変調制御信号を出力するとともに、上記高周波回路受信部２１３からの受信信号を入力した後無線タグ回路素子Ｔoから読み出された信号を処理するための所定の演算処理を行う。また制御回路２０２は、操作部６等の操作手段からの操作信号を入力するとともに、表示部５への表示制御信号、音声報知手段７への報知信号等を出力する。
【００５６】
図４は、この制御回路２０２の詳細機能を表す機能ブロック図である。
【００５７】
図４において、制御回路２０２は、いわゆるマイクロコンピュータであり、中央演算処理装置であるＣＰＵ２０２Ａ、各種プログラムを格納したＲＯＭ２０２Ｂと、一時記憶メモリであるＲＡＭ２０２Ｃと、アンテナ２（高周波回路２０１）やバーコードセンサ３との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。またこの制御回路２０２は、適宜の不揮発性メモリ２０２Ｅを備えていても良い。
【００５８】
以上のリーダ１は、操作部６及び表示部５に表示される各種操作ボタンにより、バーコードセンサ３を用いてバーコードセンサ３をバーコード１１に沿わせて走査することにより、バーコード１１に記録された情報（バーコード情報）を光学的に読み取り、またアンテナ２及び高周波回路２０１等の通信手段を用いてアンテナ２を介して無線タグラベルＴ（Ｔ1，Ｔ2，・・・）の無線タグ回路素子Ｔoと無線通信することにより、無線タグ回路素子Ｔoに備えられたＩＣ回路部１５０に記憶されているタグＩＤ（タグ識別情報）を読み取るようになっている。
【００５９】
図５は、上記構成のリーダ１を用いて物品ケース内の複数物品の検出処理を行っている状況を表わす説明図である。なお、分かりやすくするために物品ケース内でも実線で表記している。
【００６０】
図５において、梱包ケース等の物品ケース１０内には複数（ここでは７個）の物品１２が収納されており、この各物品１２の一側面には無線タグ回路素子Ｔoを備えた無線タグラベルＴが貼り付けられ、物品ケース１０の一側面にはバーコード１１が貼り付けられている。なおラベル状のものでない、例えばカード状、シート状の無線タグを配置、同梱等するようにしてもよい。検出対象となる上記物品１２は、例えば、書類、備品、資材、設備、機械その他の可般物等である。
【００６１】
バーコード１１は、この例では二次元バーコードであるＱＲコードであるが、一次元バーコードでも良い。このバーコード１１は、物品ケース１０に設けることによって複数の物品１２に対し包括的に関連付けられており、バーコード１１には、複数の物品１２にそれぞれ設けられた無線タグ回路素子Ｔoに係わる物品１２の物品数（複数タグ関連情報、タグ把握情報）が記録されている。
【００６２】
図６は、上記制御回路２０２のＣＰＵ２０２Ａが実行する物品検出処理の制御手順を表すフローチャートである。
【００６３】
図６において、まず、ステップＳ１１０で、バーコードセンサ３の検出結果に基づき、所定の物品ケース１０に設けたバーコード１１からバーコード情報を取得する。
【００６４】
その後、ステップＳ１２０で、上記ステップＳ１１０で読み出したバーコード情報に基づき、物品ケース１０内の物品１２の数情報（物品数）を取得する。
【００６５】
そして、ステップＳ１３０に移り、無線タグラベルＴの無線タグ回路素子Ｔoに記憶された情報を読み出すための不特定問合せコマンド（例えば「Scroll  All  ID」コマンド等）を回路制御部２０２Ｄに出力する。これに基づき回路制御部２０２Ｄでアクセス情報としての不特定問合せ信号（例えば「Scroll  All  ID」信号等）が生成されて高周波回路２０１及びアンテナ２を介して無線タグ回路素子Ｔoに送信され、返信を促す。
【００６６】
次に、ステップＳ１４０で、上記不特定問合せ信号に対応し、アクセス対象のそれぞれの物品１２の無線タグ回路素子Ｔoから送信された応答信号（リプライ信号）をアンテナ２を介して受信し、高周波回路２０１及び回路制御部２０２Ｄを介し取り込む。このときの受信できた応答信号の数を、発見できた無線タグラベルＴの数とすることができる。なお、上記不特定問い合わせ信号の送信時に応答信号の衝突が生じて応答信号の数を明確に特定できなかった場合には（「Ping」コマンドに基づく「Ping」信号等の）探索信号を送信し、通信範囲にある無線タグ回路素子Ｔoに応答を促しその一群の応答を階層的に区分けしながら収納することで、最終的に応答信号の数（＝言い換えれば発見した無線タグラベルＴの数）を特定するようにすればよい。
【００６７】
その後、ステップＳ１５０に移り、上記ステップＳ１４０での応答信号の受信により発見されたタグ発見数とステップＳ１２０でバーコード１１を介して取得した物品ケース内物品数とを照合し、タグ発見数と取得した物品ケース内物品数とが一致するか否かを判定する（第１判定手段）。
【００６８】
タグ発見数と取得した物品ケース内物品数とが一致していない場合、ステップＳ１５０の判定が満たされず、ステップＳ１６０に移り、ステップＳ１３０の不特定問合信号の送信から所定時間経過したかを判定する。所定時間が経過していたら正常な読み取り処理できなかったとみなして、ステップＳ１７０でリーダ１の表示部５に表示信号を出力してエラー表示をさせた後、このルーチンを終了する。ステップＳ１６０で所定時間が経過していなければ、ステップＳ１３０に戻って同様の手順を繰り返す。
【００６９】
一方、ステップＳ１５０において、タグ発見数が物品ケース内物品数に一致した場合、判定が満たされ、ステップＳ１８０で表示部５に表示信号を出力して検出完了表示を行わせ、このフローを終了する。
【００７０】
本実施形態によれば、以上のように、物品ケース１０に複数の物品１２が収納されている場合に、リーダ１のバーコードセンサ３でバーコード１の情報を読み出すことで物品ケース１０内の物品１２の数情報を取得する。その一方、アンテナ２を介した無線通信により物品１２に係る無線タグ回路素子Ｔoの数情報を取得する。そして、それら物品１２の数情報と無線タグ回路素子Ｔoの数を対比させて一致を確認することにより、物品ケース１０内の物品１２の物品検出を完了することができる。
【００７１】
なお、上記実施形態では、物品ケース１０に設けたバーコード１１に、複数タグ関連情報として物品１２の数情報のみが記録されていたが、これに限られず、各物品１２に係る無線タグ回路素子Ｔoの識別情報（タグＩＤ）の少なくとも一部を記録するようにしても良い。この場合、リーダ１のバーコードセンサ３でバーコード１１を読み取って無線タグ回路素子Ｔoの識別情報（又はその一部）を取得し、前述の図１６のステップＳ１３０ではその取得した識別情報を用いてリーダ１の通信対象の無線タグ回路素子Ｔoを特定して、アンテナ２より特定問い合わせ信号（例えば「Scroll  ID」信号や「Ping」信号等）を用いて情報送受信を行うことで無線タグラベルＴの発見を行う。
【００７２】
図７（ａ）〜（ｃ）は、このような変形例におけるバーコード情報とタグＩＤの関連付けの一例を表わす概念的説明図である。
【００７３】
図７（ａ）は、バーコード情報とタグＩＤとが一致している場合（タグＩＤのすべてがバーコード１１に記録されている場合）を表しており、この場合は、バーコード情報をそのままタグＩＤとして指定して無線タグ回路素子Ｔoにアクセスすることができる。
【００７４】
図７（ｂ）は、タグＩＤの一部を含むバーコード情報がバーコード１１に記録されている場合を表しており、この場合は、バーコード情報にタグＩＤの共通部分（予め分かっている場合。図の例では“１２３４５６８９０”）を付け加えてこれをタグＩＤとして指定して無線タグ回路素子Ｔoにアクセスすることができる。
【００７５】
図７（ｃ）は、バーコード情報がタグＩＤを全て含む場合（タグＩＤのすべてがバーコード１１に記録されている場合）を表しており、この場合は、バーコード情報から“０００”（＝予め分かっている場合）を除いたタグＩＤ部のみを抽出しこれを指定して無線タグ回路素子Ｔoにアクセスすることができる。
【００７６】
図８（ａ）は、本変形例の制御回路２０２のＣＰＵ２０２Ａが実行する物品検出処理の制御手順を表すフローチャートであり、上記実施形態の図６にほぼ相当する図である。
【００７７】
図８（ａ）において、まず、ステップＳ２１０において、前述の図６のステップＳ１１０と同様、バーコードセンサ３により、所定の物品ケース１０に設けられたバーコード１１からバーコード情報を取得する。このバーコード情報には、図７（ａ）〜（ｃ）で例示したように、各物品１２に係る無線タグ回路素子Ｔoの識別情報（タグＩＤ）の少なくとも一部（複数タグ関連情報）が含まれている。
【００７８】
その後、ステップＳ２２０で、上記ステップＳ２１０で読み出したバーコード情報より、上記物品ケース１０内の全物品１２の無線タグ回路素子ＴoのタグＩＤの少なくとも一部（以下、単にタグＩＤという）を例えば図８（ｂ）に示すようなリスト形式（タグＩＤリスト）で取得する。
【００７９】
そして、ステップＳ２３０において、上記取得したタグＩＤを元に、通信対象となる無線タグ回路素子Ｔoを特定して、無線タグ回路素子Ｔoに記憶された情報を読み出すための特定問合せコマンド「Scroll  ID」コマンドや「Ping」コマンド等）を回路制御部２０２Ｄに出力する。これに基づき回路制御部２０２Ｄでアクセス情報としての特定問合せ信号（「Scroll  ID」信号又は「Ping」信号）が生成されて高周波回路２０１及びアンテナ２を介して当該タグＩＤを備えたアクセス対象の無線タグ回路素子Ｔoに送信され、返信を促す。
【００８０】
その後、ステップＳ２４０で、上記特定問合せ信号に対応し、上記アクセス対象のそれぞれの物品１２の無線タグ回路素子Ｔoから送信された応答信号（リプライ信号）をアンテナ２を介して受信し、高周波回路２０１及び回路制御部２０２Ｄを介し取り込む。これにより、ＩＤリストに備えられた各タグＩＤに対応した無線タグラベルＴを順次発見することができる。
【００８１】
そして、ステップＳ２５０において、応答信号の受信によりＩＤリストに備えられた各タグＩＤに対応した無線タグラベルＴを全て発見できたか否かを判定する。すべてのタグの発見が完了されるまでは判定が満たされず、ステップＳ２６０に移り、上記ステップＳ２３０の特定問合せ信号の送信から所定時間経過したかを判定する。所定時間が経過していたら正常な読み取り処理できなかったとみなして、ステップＳ２７０でリーダ１の表示部５にエラー表示をさせた後、このルーチンを終了する。ステップＳ２６０で所定時間が経過していなければ、ステップＳ２３０に戻って同様の手順を繰り返す。
【００８２】
一方、ステップＳ２５０において、ＩＤリストに備えられた各タグＩＤに対応した無線タグラベルＴを全て発見完了した場合、判定が満たされ、ステップＳ２８０で表示部５に表示信号を出力して検出完了表示を行わせ、このフローを終了する。
【００８３】
本変形例では、以上のように、物品ケース１０に複数の物品１２が収納されている場合に、リーダ１のバーコードセンサ３により物品ケース１０のバーコード１１から無線タグ回路素子Ｔoの識別情報（又はその一部）を取得し、それを用いて通信対象の無線タグ回路素子Ｔoを特定して情報送受信を行い、ケース１０内のすべての物品１２について情報送受信が完了したことをもって物品検出を完了することができる。
【００８４】
また本変形例では特に、バーコード情報自体が無線タグ回路素子ＴoのタグＩＤの少なくとも一部を構成することにより、バーコード情報に基づき別途サーバにアクセスしてタグＩＤを取得する場合に比べれば、物品検出処理の迅速化・効率化を図れる効果もある。
【００８５】
なお、前述のようにバーコード１１から無線タグ回路素子Ｔoの識別情報（又はその一部。以下同様）を（例えばリスト形式で）取得する場合、複数の物品１２に設けた無線タグ回路素子Ｔoの全数の識別情報を取得する必要は必ずしもない。すなわち、識別情報の付与について一定の法則性等がある場合には、それら複数の物品１２のうち少なくとも一部の物品１２に設けた無線タグ回路素子Ｔoの識別情報を（例えばリスト抜粋形式で）取得し、その取得した識別情報より、残余の物品１２に設けた無線タグ回路素子Ｔoの識別情報を算出（推定、類推）する等でも良い。
【００８６】
例えば、バーコード１１に、物品ケース１０内の全物品１２に係わる一連の無線タグ回路素子Ｔoの識別情報（タグＩＤ）を順番に並べたときの最初と最後の番号のみ記録するようにした場合、バーコード１１よりタグＩＤ「１２３４」「１３３４」を取得したら、この「１１２３」〜「１３３４」までの範囲のタグＩＤの間に限定して情報送受信を行い、無線タグ回路素子Ｔoの読み取りを行うようにしてもよい。
【００８７】
本発明の第２の実施形態を図９〜図１２により説明する。本実施形態は、タグ把握情報として、物品１２の属性情報を用いる場合の実施形態である。第１の実施形態と同等の部分には同一の符号を付し、適宜説明を省略又は簡略化する。
【００８８】
図９は、本実施形態におけるバーコード１１のバーコード情報と、無線タグ回路素子Ｔoに記憶された情報との関連付けを概念的に表わす説明図である。
【００８９】
図９において、物品１２は、例えば所定数ごとにパレットＡに配置されている。そして、物品１２に設けられた無線タグラベルＴの無線タグ回路素子Ｔoには、それぞれの識別情報（タグＩＤ）と、各無線タグ回路素子Ｔoに関連づけられる物品１２の属性情報（この場合は物品１２が配置されたパレット名称等のパレット情報）と、この例では併せて物品情報（物品種類や物品名等）とが記憶されている。つまり、図９に示すように、例えば物品Ａに設けられる無線タグ回路素子ＴoのＩＣ回路部１５０には「ＩＤ１」「パレットＡ」「物品Ａ」のようなタグＩＤ、属性情報、物品情報が記憶されている。同様に、物品Ｂに設けられる無線タグ回路素子ＴoのＩＣ回路部１５０には「ＩＤ２」「パレットＡ」「物品Ｂ」、物品Ｃに設けられる無線タグ回路素子ＴoのＩＣ回路部１５０には「ＩＤ３」「パレットＡ」「物品Ｃ」が記憶されている。
【００９０】
本実施形態では、例えば図９に示すように、バーコード１１に、上記属性情報「パレットＡ」が記録されている。したがって、このバーコード１１より当該「パレットＡ」（パレット名称）を取得し、アンテナ２を介して各無線タグ回路素子Ｔoとの情報送受信を行ったとき当該「パレットＡ」という属性情報を記憶した無線タグ回路素子Ｔoを検出することで、目的とする無線タグ回路素子Ｔoを（この例では他のパレットＢ，Ｃ…に搭載されたものとは区別して）特定し、そしてこれに基づき当該特定された無線タグ回路素子Ｔoと情報送受信を行うことで特定物品の物品検出を完了することができる。
【００９１】
なお、バーコード１１は、適宜な設置態様のものでよく、物品１２自体や物品ケース１０、あるいは物品陳列棚に設けたり、さらには物品管理台帳に印刷されたもの等でも好適に実施できるのはもちろんである。
【００９２】
図１０（ａ）は、上記を実行するために本変形例の上記制御回路２０２のＣＰＵ２０２Ａが実行する物品検出処理の制御手順を表すフローチャートである。
【００９３】
図１０（ａ）において、まず、ステップＳ３１０で、バーコードセンサ３の検出結果に基づき、前述した物品１２自体や物品ケース１０、あるいは物品陳列棚バーコード１１等からバーコード情報を取得する。
【００９４】
その後、ステップＳ３１５で、上記ステップＳ３１０で読み出したバーコード情報に基づき、タグ把握情報としての属性情報（図９の例では「パレットＡ」）を取得する。
【００９５】
そして、ステップＳ３２０に移り、無線タグラベルＴの無線タグ回路素子Ｔoに記憶された情報を読み出すための不特定問合せコマンド（例えば「Scroll  All  ID」コマンド等）を回路制御部２０２Ｄに出力する。これに基づき回路制御部２０２Ｄでアクセス情報としての不特定問合せ信号（例えば「Scroll  All  ID」信号等）が生成されて高周波回路２０１及びアンテナ２を介して無線タグ回路素子Ｔoに送信され、返信を促す。
【００９６】
その後、ステップＳ３２２において、上記不特定問合せ信号に対応し、アクセス対象のそれぞれの物品１２の無線タグ回路素子Ｔoから送信された応答信号（リプライ信号）をアンテナ２を介して受信し高周波回路２０１及び回路制御部２０２Ｄを介し取り込まれたかどうかを判定する。受信されていたら判定が満たされてステップＳ３２５へ移る。
【００９７】
なお、前述と同様、上記不特定問い合わせ信号の送信時に応答信号の衝突が生じて応答信号を明確に特定できなかった場合には（「Ping」コマンドに基づく「Ping」信号等の）探索信号を送信し、通信範囲にある無線タグ回路素子Ｔoに応答を促しその一群の応答を階層的に区分けしながら収納することで、最終的に応答信号を特定するようにすればよい。
【００９８】
その後、ステップＳ３３０において、ステップＳ３２５において、各無線タグ回路素子Ｔoからの応答信号それぞれにタグＩＤとともに含まれる各無線タグ回路素子Ｔoに記憶された属性情報（この例ではパレット名称）を抽出取得するとともに、その取得した属性情報とステップＳ３１５でバーコード情報に基づき取得された属性情報とを照合する。そして、それら２つの属性情報が一致するかどうか（上記の例では無線タグ回路素子Ｔoから取得された属性情報が”パレットＡ”であるか否か）を判定する（第２判定手段）。
【００９９】
属性情報が一致しない場合、判定が満たされず、ステップＳ３３２へ移る。ステップＳ３３２では、上記ステップＳ３３０で属性情報が一致しなかった無線タグ回路素子Ｔoの識別情報（タグＩＤ）を特定して取得する。なお、このとき、前述と同様、衝突等が生じた場合には（「Ping」コマンドに基づく「Ping」信号等の）探索信号を送信し、上記属性情報が一致した無線タグ回路素子Ｔoに対しさらにそれらの応答を階層的に区分けしながら収納することで、最終的に各無線タグ回路素子ＴoのタグＩＤを個別に特定するようにしてもよい。
【０１００】
そして、ステップＳ３３３において、上記ステップＳ３３２で特定したタグＩＤを指定して、当該無線タグ回路素子Ｔoを休眠化するための休眠化コマンド「Sleep」コマンド等）を回路制御部２０２Ｄに出力する。これに基づき回路制御部２０２Ｄでアクセス情報としての休眠化信号が生成されて高周波回路２０１及びアンテナ２を介して当該タグＩＤを備えたアクセス対象の無線タグ回路素子Ｔoに送信され、休眠化させる（通信機能を一時停止させる）。
【０１０１】
その後、ステップＳ３３５に移り、ステップＳ３２０の不特定問合せ信号の送信から所定時間経過したかを判定する。所定時間が経過していなければ、ステップＳ３２０の不特定問合信号の送信以下の処理を繰り返す。このようにして属性情報が一致しない無線タグ回路素子Ｔoが検出されるときはステップＳ３２０〜ステップＳ３３３を繰り返し当該無線タグ回路素子Ｔoを次々と休眠化させることで、属性情報が一致する無線タグ回路素子Ｔoを円滑に検出できるようにする。ステップＳ３３５で所定時間が経過したら正常な読み取り処理ができなかったとみなして、ステップＳ３４０で表示部５に表示信号を出力してエラー表示をさせた後、このルーチンを終了する。
【０１０２】
一方、ステップＳ３３０において、属性情報が一致していた（前述の例では無線タグ回路素子Ｔoから読み取った属性情報が「パレットＡ」であった）場合は判定が満たされ、ステップＳ３４５に移る。
【０１０３】
ステップＳ３４５では、上記ステップＳ３３０で属性情報が一致した無線タグ回路素子Ｔoの識別情報（タグＩＤ）を特定して取得する（識別情報特定手段）。なお、このとき、前述と同様、衝突等が生じた場合には（「Ping」コマンドに基づく「Ping」信号等の）探索信号を送信し、上記属性情報が一致した無線タグ回路素子Ｔoに対しさらにそれらの応答を階層的に区分けしながら収納することで、最終的に各無線タグ回路素子ＴoのタグＩＤを個別に特定するようにしてもよい。
【０１０４】
そして、ステップＳ３５０において、上記ステップＳ３４５で特定したタグＩＤを指定して、当該無線タグ回路素子Ｔoを休眠化するための休眠化コマンド「Sleep」コマンド等）を回路制御部２０２Ｄに出力する。これに基づき回路制御部２０２Ｄでアクセス情報としての休眠化信号が生成されて高周波回路２０１及びアンテナ２を介して当該タグＩＤを備えたアクセス対象の無線タグ回路素子Ｔoに送信され、休眠化させる（通信機能を一時停止させる）。
【０１０５】
その後、ステップＳ３５５で、上記ステップＳ３４５で取得したタグＩＤ（識別情報）と、パレット名称（属性情報）との相関を例えば図１０（ｂ）に示すテーブルの形で形成し（相関生成手段）、例えばＲＡＭ２０２Ｃに記憶する。
【０１０６】
上記ステップＳ３５５が終了したら、前述のステップＳ３２０に戻って同様に不特定問い合わせ信号を送信し、以降の手順を繰り返す。このようにしてステップＳ３２０〜ステップＳ３５５を繰り返して属性情報が一致する無線タグ回路素子ＴoのタグＩＤをテーブルに書き込みつつその都度休眠化させていき、すべての無線タグ回路素子Ｔoの検出が終了したら応答が受信されなくなってステップＳ３２２の判定が満たされなくなるので、ステップＳ３６０に移って表示部５に表示信号を出力して検出完了表示を行わせ、このフローを終了する。
【０１０７】
本実施形態によっても、上記第１実施形態と同様の効果を得る。すなわち、バーコードセンサ３を用いて取得したバーコード情報を用い、これに含まれる属性情報を手がかりにリストを作成し通信対象の（前述の例ではパレットＡに配置された物品Ａ、物品Ｂ、物品Ｃに貼付された）無線タグ回路素子Ｔoを特定することができる。これにより、リーダ１の通信範囲に他のパレットに搭載された物品を含む多数の検出対象物品が存在する場合であっても、上記の特定結果に基づいて物品検出を完了することができる。
【０１０８】
なお、上記第２の実施形態においては、バーコード１１に属性情報（パレット情報）が備えられこれをステップＳ３１５で取得するとともに、ステップＳ２３５で無線タグ回路素子Ｔoの応答信号から取得したパレット情報と一致するかどうかをステップＳ３３０で判定し、これに基づき無線タグ回路素子Ｔoを順次特定したが、これに限られない。例えばバーコード１１にタグ把握情報として物品情報（「物品Ａ」等）が備えられている場合には、これをステップＳ３１５で取得するとともに、ステップＳ２３５で無線タグ回路素子Ｔoの応答信号に含まれる物品情報（図９の「物品Ａ」等参照）を取得し、これら物品情報が互いに一致するかどうかをステップＳ３３０で判定し、これに基づき無線タグ回路素子Ｔoを順次特定するようにしてもよい。この場合、ステップＳ３３５においては、各物品に一対一に対応するバーコード情報とタグＩＤとの相関関係を表わす対応テーブル（相関テーブル）を生成し（相関生成手段）、例えばＲＡＭ２０２Ｃに記憶すればよい。
【０１０９】
図１１は、この変形例で生成された、バーコード情報とタグＩＤとの相関関係の一例を表わすテーブルである。
【０１１０】
図１１において、この例では、バーコード情報は ”１”と”０”の７ビットの数列で構成され、対応するタグＩＤは、”１”と”０”の１６ビットの数列で構成されている。図示のように、バーコード情報とタグＩＤは、これらの数列で１対１に関係付けられている（テーブルの各欄において横の欄どうしで関連づけ）。
【０１１１】
図１２は、本変形例において、上記のようにテーブルが作成された後の物品検出処理の制御手順を表すフローチャートである。
【０１１２】
すなわち、図１２において、まず、ステップＳ４１０において、バーコードセンサ３の検出結果に基づきバーコード情報を読み出し、ステップＳ４２０でステップＳ４１０で取得したバーコード情報から上記相関テーブルを用いて無線タグ回路素子Ｔoの識別情報（タグＩＤ）を特定する。その後、ステップＳ４３０で取得したタグＩＤを指定して当該無線タグ回路素子Ｔoに特定問合信号（「Scroll  ID」信号）を送信し、ステップＳ４４０でこれに対応した無線タグ回路素子Ｔoからの応答信号を受信する。応答信号の受信によって物品の検出が完了したらステップＳ４５０で表示部５に検出完了表示を行わせ、フローを終了する。
【０１１３】
本変形例においては、上記のように一度相関関係のテーブルを作成したら、それ以降、バーコード情報を読み出すだけで、相関テーブルを用いて無線タグ回路素子ＴoのタグＩＤを直接取得することができる。
【０１１４】
本発明の第３の実施形態を図１３〜図１５を用いて説明する。本実施形態は、バーコード付き無線タグラベルの作成装置についての実施形態である。
【０１１５】
図１３（ａ）は、本実施形態に係るバーコード付き無線タグラベル作成装置を模式的に表わす斜視図であり、図１３（ｂ）は、この作成装置で作成された無線タグラベルを表わす平面図である。すなわち、図１３（ａ）に示すバーコード付き無線タグラベル作成装置２０が、図１３（ｂ）に示すようなバーコード付き無線タグラベル２１を作成して、排出するようになっている。
【０１１６】
図１３（ｂ）に示すように、無線タグラベル２１は、バーコード１１を設けたバーコードラベル領域２２と無線タグ回路素子Ｔoを設けた無線タグラベル領域２３とからなっており、バーコードラベル領域２２と無線タグラベル領域２３との間に、これらの部分を手で容易に分離可能なようにハーフカットの分離線２４が設けられている。
【０１１７】
バーコード１１はこの例では二次元バーコードであり、バーコードラベル領域２２に例えば印刷によって形成されている。また無線タグラベルを設けた無線タグラベル領域２３には、無線タグ回路素子ＴoのＩＣ回路部１４０の記憶内容に対応した所定の印字Ｒが印刷されている。
【０１１８】
図１４は、上記図１３（ａ）に示したバーコード付き無線タグラベル作成装置２０の詳細構成を表す説明図である。
【０１１９】
図１４において、バーコード付き無線タグラベル作成装置２０は、所定間隔で無線タグ回路素子Ｔoが備えられたタグテープ３０３（タグ媒体）を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３を搬送する搬送ローラ３０９（搬送手段）と、タグテープ３０３のうち上記バーコードラベル領域２２に相当する領域に上記バーコード１１を印字すると共に、上記無線タグラベル領域２３に相当する領域無線タグ回路素子Ｔoに上記印字Ｒを印字する印字ヘッド３０５（印字手段、識別子形成手段）と、無線タグ回路素子Ｔoとの間で無線通信により情報の送受信を行うアンテナ３０６（通信手段）と、タグテープ３０３への印字及び無線タグ回路素子Ｔoへの上記情報書き込みが終了したタグテープ３０３を所定長さに切断する（併せて上記分離線２４を形成する分離線形成手段として機能させてもよい）カッタ３０７と、これら各部を統括制御する制御回路３０２とを備える。
【０１２０】
高周波回路３０１及び制御回路３０２は、詳細な説明を省略するが、上記リーダ１の高周波回路２０１及び制御回路２０２とほぼ同等の機能を備えるものであり、無線タグ回路素子ＴoのＩＣ回路部１５０へのアクセス情報を生成し、装置側アンテナ３０６を介して無線タグ回路素子Ｔoへ送信し、無線タグ回路素子ＴoのＩＣ回路部１５０へ情報書き込みを行う。また制御回路３０２は有線又は無線の上記通信回線（ネットワーク）２０６を介して上記サーバ２０７や、他のコンピュータ、端末等と接続されており、それらと情報の送受が可能となっている。
【０１２１】
図１５は、上記制御回路３０２によって実行される制御手順を表すフローチャートである。
【０１２２】
図１５において、まずステップＳ７１０において、通信回線を介し制御回路３０２に接続された操作端末等により別途入力された、印字ヘッド３０５で上記バーコードラベル領域２２へ印字するバーコード情報、無線タグラベル領域２３へ印字する印字Ｒの印字情報、及び無線タグ回路素子Ｔoへの書き込み情報が取得される。
【０１２３】
その後、ステップＳ７２０に移り、搬送ローラ３０９に制御信号を出力してタグテープ３０３の搬送を開始するとともに、印字ヘッド３０５に制御信号を出力してタグテープ３０３のうち無線タグラベル領域２３及びバーコードラベル領域２２に相当する領域にそれぞれ印字Ｒ及びバーコード１１の印字を行う。なお、このとき印字される印字Ｒ及びバーコード１１のバーコード情報の内容は、後述するステップＳ７２５で書き込まれる情報と互いに対応づけられている。特にバーコード１１には、上記第１及び第２実施形態並びにそれらの変形例において前述した、タグ把握情報（物品数情報、物品情報等）が記録される。
【０１２４】
そして、ステップＳ７２５において、所定のタグ書込み位置までタグテープ３０３を搬送して情報（タグＩＤを含む無線タグ情報）の書き込みを行う。
【０１２５】
その後、ステップＳ７３０に移り、タグテープ３０３が所定の切断位置となったら搬送ローラ３０９に制御信号を出力して搬送を停止し、カッタ３０７を駆動する駆動手段（図示せず）に制御信号を出力してカッタ３０７を駆動させ、テープ切断を行う。これにより、バーコード１１を備えたバーコードラベル領域２２と無線タグ回路素子Ｔoを備えた無線タグラベル領域２３とからなるバーコード付き無線タグラベル２１を作成し、このフローを終了する。
【０１２６】
以上説明したように、本実施形態では、タグテープ３０３に備えられた無線タグ回路素子Ｔoに対し、アンテナ３０６及び高周波回路３０１によって無線通信を介し情報送受信（情報書き込み）が行われる。またこのとき、印字ヘッド３０５によって当該情報送受信内容に対応するバーコード１１がタグテープ３０３のうちのバーコードラベル領域２２に形成され、これによってバーコード付き無線タグラベル２１が作成される。
【０１２７】
このようにしてラベル２１を作成した後は、手によって分離線２４の箇所でバーコードラベル領域２２と無線タグラベル領域２３とに容易に切断して分離することができ、これらを別々の場所に貼り付けて用いることができる。なお、分離線２４自体をハーフカット線でなくフルカット線とし、最初からバーコードラベル領域２２のラベルと、無線タグラベル領域２３のラベルとに分離した状態で作成しても良い。
【０１２８】
このとき、前述のようにバーコード１１には無線タグ回路素子Ｔoを把握可能なタグ把握情報が記録されているので、その後リーダ１で読み取りを行った際に、上記第１又は第２実施形態と同様にして、バーコードセンサ３を用いて検出し取得された上記タグ把握情報を用い、通信対象とする無線タグ回路素子Ｔoを把握することができる。
【０１２９】
この結果、上記第１又は第２実施形態で前述したように、アンテナ２からの通信範囲に複数の検出対象物品が存在する場合であっても、上記把握した無線タグ回路素子Ｔoとの情報送受信結果に基づいて物品検出を完了する（第１の実施形態のような物品数のみ突き合わせの検品を含む）ことができる。
【０１３０】
なお、以上においては、バーコード付き無線タグラベル２１において、手による切断でバーコード１１の部分と無線タグ回路素子Ｔoの部分とに分離し易いように、ハーフカット等の分離線２４を設けたが、分離するのに鋏みで切断したり、場合によっては手による引きちぎりを行っても良く、その場合には分離線２４は必ずしも必要ではない。
【０１３１】
なお、以上で用いた「Scroll  ALL  ID」信号、「Scroll  ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１３２】
また、以上既に述べた以外にも、上記実施形態や各変形例による手法を適宜組み合わせて利用しても良い。
【０１３３】
その他、一々例示はしないが、本発明は、その趣旨を逸脱しない範囲内において、種々の変更が加えられて実施されるものである。
【図面の簡単な説明】
【０１３４】
【図１】本発明の一実施形態に係る無線タグ通信装置を表す正面図である。
【図２】図１のリーダの検出対象の物品に設けられた無線タグラベルに備えられる無線タグ回路素子の機能的構成の一例を表すブロック図である。
【図３】図１のリーダの制御系の構成を表す機能ブロック図である。
【図４】図３の制御系に設けられた制御回路の詳細機能を表す機能ブロック図である。
【図５】物品ケース内複数物品の検出処理を表わす説明図である。
【図６】物品検出処理における制御手順を表すフローチャートである。
【図７】バーコードに無線タグ回路素子のタグＩＤの少なくとも一部を記録する変形例において、バーコード情報とタグＩＤの関連付けの一例を表わす説明図である。
【図８】物品検出処理における制御手順を表すフローチャート、及び、取得するタグＩＤリストを表す図である。
【図９】本発明の第２の実施形態におけるバーコード情報とタグメモリ情報の関連付けを表わす説明図である。
【図１０】物品検出処理における制御手順を表すフローチャート、及び、作成したタグＩＤリストを表す図である。
【図１１】バーコード情報とタグＩＤとの相関関係を表わす対応テーブルの一例を表すテーブルである。
【図１２】物品検出処理における制御手順を表すフローチャートである。
【図１３】本発明の第３の実施形態に係るバーコード付き無線タグラベル作成装置を模式的に表わす斜視図、及び、作成された無線タグラベルを表わす平面図である。
【図１４】図１３（ａ）に示した無線タグラベル作成装置の詳細構成を表わす概念的説明図である。
【図１５】制御回路によって実行される制御手順を表すフローチャートである。
【符号の説明】
【０１３５】
１      リーダ（無線タグ通信装置）
２      バーコードセンサ（情報取得手段）
３      装置側アンテナ（通信手段）
５      表示部
１０    物品ケース
１１    バーコード（光学識別子）
１２    物品
２０    バーコード付き無線タグラベル作成装置
２１    バーコード付き無線タグラベル
２４    分離線
Ｔ      無線タグラベル
Ｔo    無線タグ回路素子
【図１】
2008047049.tif 000003
【図２】
2008047049.tif 000004
【図３】
2008047049.tif 000005
【図４】
2008047049.tif 000006
【図５】
2008047049.tif 000007
【図６】
2008047049.tif 000008
【図７】
2008047049.tif 000009
【図８】
2008047049.tif 000010
【図９】
2008047049.tif 000011
【図１０】
2008047049.tif 000012
【図１１】
2008047049.tif 000013
【図１２】
2008047049.tif 000014
【図１３】
2008047049.tif 000015
【図１４】
2008047049.tif 000016
【図１５】
2008047049.tif 000017